(57)【要約】【課題】光を放射し、導光、発光、点滅、装飾及び固定深度の表示機能を備えた導光固定部材を提供する。【解決手段】導光固定部材は、固定本体１、チャネル１１及び導光体３を備える。固定本体１は、固定本体１の外側に位置するねじ山、係止体又は係合体である固定部を有する。チャネル１１は、固定本体１に穿設されて入光口１１１及び出光口１１２が両端にそれぞれ形成される。導光体３は、出光口１１２に設置されるか、チャネル１１に設置されるか、または一部が出光口１１２と入光口１１１の一方または両方から延出した状態でチャネルに設置される。【選択図】図７ａ
2015099214.tif 000002
【特許請求の範囲】
【請求項１】
固定本体、チャネル及び導光体を備えた導光固定部材であって、
前記固定本体は、前記固定本体の外側に位置するねじ山、係止体又は係合体である固定部を有し、
前記チャネルは、前記固定本体に穿設されて入光口及び出光口が両端にそれぞれ形成され、
前記導光体は、前記出光口に設置されるか、前記チャネルに設置されるか、または一部が前記出光口と前記入光口の一方または両方から延出した状態でチャネルに設置される、ことを特徴とする導光固定部材。
【請求項２】
固定頭部、固定本体、チャネル及び導光体を備えた導光固定部材であって、
前記固定本体は、前記固定頭部に接続されるとともに、前記固定本体の外側に位置するねじ山、係止体又は係合体である固定部を有し、
前記チャネルは、前記固定本体及び前記固定頭部に連続的に穿設され、このチャネルの両端に入光口及び出光口がそれぞれ形成され、
前記導光体は、前記出光口に設置されるか、前記チャネルに設置されるか、または一部が前記出光口と前記入光口の一方または両方から延出した状態でチャネルに設置される、ことを特徴とする導光固定部材。
【請求項３】
固定頭部、固定本体、チャネル、導光体及びスリーブを備えた導光固定部材であって、
前記固定本体は、前記固定頭部に接続されるとともに、前記固定本体の外側に位置するねじ山、係止体又は係合体である固定部を有し、
前記チャネルは、前記固定本体及び前記固定頭部に連続的に穿設され、このチャネルの両端に入光口及び出光口がそれぞれ形成され、
前記導光体は、前記出光口に設置されるか、前記チャネルに設置されるか、または一部が前記出光口と前記入光口の一方または両方から延出した状態でチャネルに設置され、
前記スリーブは、前記固定本体に移動可能に接続されることを特徴とする導光固定部材。
【請求項４】
前記固定頭部に接続されるとともに、前記チャネルが穿設されたキャップをさらに備えることを特徴とする請求項２に記載の導光固定部材。
【請求項５】
前記固定頭部に接続されるとともに、前記チャネルが穿設されたキャップをさらに備え、
前記スリーブは、前記固定本体又は前記キャップに移動可能に接続されることを特徴とする請求項３に記載の導光固定部材。
【請求項６】
前記導光体は、水平面、垂直面、斜面、弧面又はこれらの組み合わせから選択される表面を有するか、
前記導光体は、リング状構造、凸状構造、凹状構造又はこれらの組み合わせから選択される構造を有することを特徴とする請求項１、２又は３に記載の導光固定部材。
【請求項７】
前記導光体は、凸部、凹部、係合部、ねじ部又は接着部を介して設置されることを特徴とする請求項１、２又は３に記載の導光固定部材。
【請求項８】
前記導光体は、埋入射出、圧入、係着、係合、熱融着、螺着又は接着方式により設置されることを特徴とする請求項１、２又は３に記載の導光固定部材。
【請求項９】
前記固定本体は、金属からなり、
前記導光体は、光ファイバ、繊維、プラスチック、ガラス、石英、アクリル、ゴム又はシリコーンからなることを特徴とする請求項１、２又は３に記載の導光固定部材。
【発明の詳細な説明】
【技術分野】
【０００１】
本発明は、導光固定部材に関し、特に、光を放射し、導光、発光、点滅、装飾及び固定深度の表示機能を備えた導光固定部材に関する。
【背景技術】
【０００２】
従来の固定部材は、主にオブジェクトをもう一つのオブジェクトへ固定するために用いるが、照度が十分でない場合、見つけることが容易でなく、メンテナンスを行うことは困難であった。また、従来の固定部材をオブジェクトへ固定する際、外形の柔軟性が無く、固定後の完成品の外形が単調であった。また、従来の固定部材は特定深度に固定しなければならなかったため、測定器具により測定する必要があり、オブジェクトを固定するのが不便であった。
【０００３】
そのため、光を放射し、導光、発光、点滅、装飾及び固定深度の表示機能を備えた導光固定部材が求められていた。
【発明の概要】
【発明が解決しようとする課題】
【０００４】
本発明の目的は、光を放射し、導光、発光、点滅、装飾及び固定深度の表示機能を備えた導光固定部材を提供することにある。
【課題を解決するための手段】
【０００５】
上記課題を解決するために、本発明の第１の形態によれば、固定本体、チャネル及び導光体を備えた導光固定部材であって、前記固定本体は、前記固定本体の外側に位置するねじ山、係止体又は係合体である固定部を有し、前記チャネルは、前記固定本体に穿設されて入光口及び出光口が両端にそれぞれ形成され、前記導光体は、前記出光口に設置されるか、前記チャネルに設置されるか、または一部が前記出光口と前記入光口の一方または両方から延出した状態でチャネルに設置されることを特徴とする導光固定部材が提供される。
【０００６】
上記課題を解決するために、本発明の第２の形態によれば、固定頭部、固定本体、チャネル及び導光体を備えた導光固定部材であって、前記固定本体は、前記固定頭部に接続されるとともに、前記固定本体の外側に位置するねじ山、係止体又は係合体である固定部を有し、前記チャネルは、前記固定本体及び前記固定頭部に連続的に穿設され、このチャネルの両端に入光口及び出光口がそれぞれ形成され、前記導光体は、前記出光口に設置されるか、前記チャネルに設置されるか、または一部が前記出光口と前記入光口の一方または両方から延出した状態でチャネルに設置されることを特徴とする導光固定部材が提供される。
【０００７】
上記課題を解決するために、本発明の第３の形態によれば、固定頭部、固定本体、チャネル、導光体及びスリーブを備えた導光固定部材であって、前記固定本体は、前記固定頭部に接続されるとともに、前記固定本体の外側に位置するねじ山、係止体又は係合体である固定部を有し、前記チャネルは、前記固定本体及び前記固定頭部に連続的に穿設され、このチャネルの両端に入光口及び出光口がそれぞれ形成され、前記導光体は、前記出光口に設置されるか、前記チャネルに設置されるか、または一部が前記出光口と前記入光口の一方または両方から延出した状態でチャネルに設置され、前記スリーブは、前記固定本体に移動可能に接続されることを特徴とする導光固定部材が提供される。
【０００８】
前記固定頭部に接続されるとともに、前記チャネルが穿設されたキャップをさらに備えることが好ましい。
【０００９】
前記固定頭部に接続されるとともに、前記チャネルが穿設されたキャップをさらに備え、前記スリーブは、前記固定本体又は前記キャップに移動可能に接続されることが好ましい。
【００１０】
前記導光体は、水平面、垂直面、斜面、弧面又はこれらの組み合わせから選択される表面を有するか、前記導光体は、リング状構造、凸状構造、凹状構造又はこれらの組み合わせから選択される構造を有することが好ましい。
【００１１】
前記導光体は、凸部、凹部、係合部、ねじ部又は接着部を介して設置されることが好ましい。
【００１２】
前記導光体は、埋入射出、圧入、係着、係合、熱融着、螺着又は接着方式により設置されることが好ましい。
【００１３】
前記固定本体は、金属からなり、前記導光体は、光ファイバ、繊維、プラスチック、ガラス、石英、アクリル、ゴム又はシリコーンからなることが好ましい。
【発明の効果】
【００１４】
本発明の導光固定部材は、光を放射し、導光、発光、点滅、装飾及び固定深度の表示機能を備える。
【図面の簡単な説明】
【００１５】
【図１ａ】本発明の第１実施形態に係る導光固定部材を示す模式図（１）である。
【図１ｂ】本発明の第１実施形態に係る導光固定部材を示す模式図（１）である。
【図１ｃ】本発明の第１実施形態に係る導光固定部材を示す模式図（１）である。
【図２ａ】本発明の第２実施形態に係る導光固定部材を示す模式図（１）である。
【図２ｂ】本発明の第２実施形態に係る導光固定部材を示す模式図（１）である。
【図２ｃ】本発明の第２実施形態に係る導光固定部材を示す模式図（１）である。
【図３ａ】本発明の第３実施形態に係る導光固定部材を示す模式図（１）である。
【図３ｂ】本発明の第３実施形態に係る導光固定部材を示す模式図（１）である。
【図３ｃ】本発明の第３実施形態に係る導光固定部材を示す模式図（１）である。
【図４ａ】本発明の第１実施形態に係る導光固定部材を示す模式図（２）である。
【図４ｂ】本発明の第１実施形態に係る導光固定部材を示す模式図（２）である。
【図４ｃ】本発明の第１実施形態に係る導光固定部材を示す模式図（２）である。
【図５ａ】本発明の第２実施形態に係る導光固定部材を示す模式図（２）である。
【図５ｂ】本発明の第２実施形態に係る導光固定部材を示す模式図（２）である。
【図５ｃ】本発明の第２実施形態に係る導光固定部材を示す模式図（２）である。
【図６ａ】本発明の第３実施形態に係る導光固定部材を示す模式図（２）である。
【図６ｂ】本発明の第３実施形態に係る導光固定部材を示す模式図（２）である。
【図６ｃ】本発明の第３実施形態に係る導光固定部材を示す模式図（２）である。
【図７ａ】本発明の第１実施形態に係る導光固定部材を示す模式図（３）である。
【図７ｂ】本発明の第１実施形態に係る導光固定部材を示す模式図（３）である。
【図７ｃ】本発明の第１実施形態に係る導光固定部材を示す模式図（３）である。
【図８ａ】本発明の第１実施形態に係る導光固定部材を示す模式図（４）である。
【図８ｂ】本発明の第１実施形態に係る導光固定部材を示す模式図（４）である。
【図８ｃ】本発明の第１実施形態に係る導光固定部材を示す模式図（４）である。
【図９ａ】本発明の第１実施形態に係る導光固定部材を示す模式図（５）である。
【図９ｂ】本発明の第１実施形態に係る導光固定部材を示す模式図（５）である。
【図９ｃ】本発明の第１実施形態に係る導光固定部材を示す模式図（５）である。
【図１０ａ】本発明の第２実施形態に係る導光固定部材を示す模式図（３）である。
【図１０ｂ】本発明の第２実施形態に係る導光固定部材を示す模式図（３）である。
【図１０ｃ】本発明の第２実施形態に係る導光固定部材を示す模式図（３）である。
【図１１ａ】本発明の第２実施形態に係る導光固定部材を示す模式図（４）である。
【図１１ｂ】本発明の第２実施形態に係る導光固定部材を示す模式図（４）である。
【図１１ｃ】本発明の第２実施形態に係る導光固定部材を示す模式図（４）である。
【図１２ａ】本発明の第２実施形態に係る導光固定部材を示す模式図（５）である。
【図１２ｂ】本発明の第２実施形態に係る導光固定部材を示す模式図（５）である。
【図１２ｃ】本発明の第２実施形態に係る導光固定部材を示す模式図（５）である。
【図１３ａ】本発明の第３実施形態に係る導光固定部材を示す模式図（３）である。
【図１３ｂ】本発明の第３実施形態に係る導光固定部材を示す模式図（３）である。
【図１３ｃ】本発明の第３実施形態に係る導光固定部材を示す模式図（３）である。
【図１４ａ】本発明の第３実施形態に係る導光固定部材を示す模式図（４）である。
【図１４ｂ】本発明の第３実施形態に係る導光固定部材を示す模式図（４）である。
【図１４ｃ】本発明の第３実施形態に係る導光固定部材を示す模式図（４）である。
【図１５ａ】本発明の第３実施形態に係る導光固定部材を示す模式図（５）である。
【図１５ｂ】本発明の第３実施形態に係る導光固定部材を示す模式図（５）である。
【図１５ｃ】本発明の第３実施形態に係る導光固定部材を示す模式図（５）である。
【図１６ａ】本発明の第１実施形態に係る導光固定部材を示す模式図（６）である。
【図１６ｂ】本発明の第１実施形態に係る導光固定部材を示す模式図（６）である。
【図１６ｃ】本発明の第１実施形態に係る導光固定部材を示す模式図（６）である。
【図１７ａ】本発明の第１実施形態に係る導光固定部材を示す模式図（７）である。
【図１７ｂ】本発明の第１実施形態に係る導光固定部材を示す模式図（７）である。
【図１７ｃ】本発明の第１実施形態に係る導光固定部材を示す模式図（７）である。
【図１８ａ】本発明の第１実施形態に係る導光固定部材を示す模式図（８）である。
【図１８ｂ】本発明の第１実施形態に係る導光固定部材を示す模式図（８）である。
【図１８ｃ】本発明の第１実施形態に係る導光固定部材を示す模式図（８）である。
【図１９ａ】本発明の第２実施形態に係る導光固定部材を示す模式図（６）である。
【図１９ｂ】本発明の第２実施形態に係る導光固定部材を示す模式図（６）である。
【図１９ｃ】本発明の第２実施形態に係る導光固定部材を示す模式図（６）である。
【図２０ａ】本発明の第２実施形態に係る導光固定部材を示す模式図（７）である。
【図２０ｂ】本発明の第２実施形態に係る導光固定部材を示す模式図（７）である。
【図２０ｃ】本発明の第２実施形態に係る導光固定部材を示す模式図（７）である。
【図２１ａ】本発明の第２実施形態に係る導光固定部材を示す模式図（８）である。
【図２１ｂ】本発明の第２実施形態に係る導光固定部材を示す模式図（８）である。
【図２１ｃ】本発明の第２実施形態に係る導光固定部材を示す模式図（８）である。
【図２２ａ】本発明の第３実施形態に係る導光固定部材を示す模式図（６）である。
【図２２ｂ】本発明の第３実施形態に係る導光固定部材を示す模式図（６）である。
【図２２ｃ】本発明の第３実施形態に係る導光固定部材を示す模式図（６）である。
【図２３ａ】本発明の第３実施形態に係る導光固定部材を示す模式図（７）である。
【図２３ｂ】本発明の第３実施形態に係る導光固定部材を示す模式図（７）である。
【図２３ｃ】本発明の第３実施形態に係る導光固定部材を示す模式図（７）である。
【図２４ａ】本発明の第３実施形態に係る導光固定部材を示す模式図（８）である。
【図２４ｂ】本発明の第３実施形態に係る導光固定部材を示す模式図（８）である。
【図２４ｃ】本発明の第３実施形態に係る導光固定部材を示す模式図（８）である。
【図２５ａ】本発明の第１実施形態に係る導光固定部材を示す模式図（９）である。
【図２５ｂ】本発明の第１実施形態に係る導光固定部材を示す模式図（９）である。
【図２５ｃ】本発明の第１実施形態に係る導光固定部材を示す模式図（９）である。
【図２６ａ】本発明の第１実施形態に係る導光固定部材を示す模式図（１０）である。
【図２６ｂ】本発明の第１実施形態に係る導光固定部材を示す模式図（１０）である。
【図２６ｃ】本発明の第１実施形態に係る導光固定部材を示す模式図（１０）である。
【図２７ａ】本発明の第１実施形態に係る導光固定部材を示す模式図（１１）である。
【図２７ｂ】本発明の第１実施形態に係る導光固定部材を示す模式図（１１）である。
【図２７ｃ】本発明の第１実施形態に係る導光固定部材を示す模式図（１１）である。
【図２８ａ】本発明の第１実施形態に係る導光固定部材を示す模式図（１２）である。
【図２８ｂ】本発明の第１実施形態に係る導光固定部材を示す模式図（１２）である。
【図２８ｃ】本発明の第１実施形態に係る導光固定部材を示す模式図（１２）である。
【図２９ａ】本発明の第３実施形態に係る導光固定部材を示す模式図（９）である。
【図２９ｂ】本発明の第３実施形態に係る導光固定部材を示す模式図（９）である。
【図２９ｃ】本発明の第３実施形態に係る導光固定部材を示す模式図（９）である。
【図３０ａ】本発明の第３実施形態に係る導光固定部材を示す模式図（１０）である。
【図３０ｂ】本発明の第３実施形態に係る導光固定部材を示す模式図（１０）である。
【図３０ｃ】本発明の第３実施形態に係る導光固定部材を示す模式図（１０）である。
【図３１ａ】本発明の第３実施形態に係る導光固定部材を示す模式図（１１）である。
【図３１ｂ】本発明の第３実施形態に係る導光固定部材を示す模式図（１１）である。
【図３１ｃ】本発明の第３実施形態に係る導光固定部材を示す模式図（１１）である。
【図３２ａ】本発明の第３実施形態に係る導光固定部材を示す模式図（１２）である。
【図３２ｂ】本発明の第３実施形態に係る導光固定部材を示す模式図（１２）である。
【図３２ｃ】本発明の第３実施形態に係る導光固定部材を示す模式図（１２）である。
【図３３ａ】本発明の第１実施形態に係る導光固定部材を示す模式図（１３）である。
【図３３ｂ】本発明の第１実施形態に係る導光固定部材を示す模式図（１３）である。
【図３３ｃ】本発明の第１実施形態に係る導光固定部材を示す模式図（１３）である。
【図３４ａ】本発明の第１実施形態に係る導光固定部材を示す模式図（１４）である。
【図３４ｂ】本発明の第１実施形態に係る導光固定部材を示す模式図（１４）である。
【図３４ｃ】本発明の第１実施形態に係る導光固定部材を示す模式図（１４）である。
【図３５】本発明の一実施形態に係る導光固定部材の応用例を示す模式図（１）である。
【図３６】本発明の一実施形態に係る導光固定部材の応用例を示す模式図（２）である。
【図３７】本発明の一実施形態に係る導光固定部材の応用例を示す模式図（３）である。
【図３８ａ】本発明の一実施形態に係る導光固定部材の第１の制御部及び第２の制御部を示す模式図（１）である。
【図３８ｂ】本発明の一実施形態に係る導光固定部材の第１の制御部及び第２の制御部を示す模式図（１）である。
【図３８ｃ】本発明の一実施形態に係る導光固定部材の第１の制御部及び第２の制御部を示す模式図（１）である。
【図３９ａ】本発明の一実施形態に係る導光固定部材の第３の制御部を示す模式図である。
【図３９ｂ】本発明の一実施形態に係る導光固定部材の第３の制御部を示す模式図である。
【図３９ｃ】本発明の一実施形態に係る導光固定部材の第３の制御部を示す模式図である。
【図４０ａ】本発明の一実施形態に係る導光固定部材の第１の制御部及び第２の制御部を示す模式図（２）である。
【図４０ｂ】本発明の一実施形態に係る導光固定部材の第１の制御部及び第２の制御部を示す模式図（２）である。
【図４０ｃ】本発明の一実施形態に係る導光固定部材の第１の制御部及び第２の制御部を示す模式図（２）である。
【図４１】本発明の一実施形態に係る導光固定部材の第１〜第３の制御部を示す模式図である。
【発明を実施するための形態】
【００１６】
以下、本発明の実施形態について図に基づいて説明する。なお、これによって本発明が限定されるものではない。
【００１７】
図１ａ〜ｃを参照する。図１ａ〜ｃは、本発明の第１実施形態に係る導光固定部材を示す模式図（１）である。本発明の第１実施形態に係る導光固定部材は、固定本体１及びチャネル１１を含む。固定本体１は、固定部１２を有する。固定部１２は、固定本体１の外側に位置するねじ山（図１ａ参照）、係止体（図１ｂ参照）又は係合体（図１ｃ参照）である。係止体及び係合体は弾性を有する。図１ｂの２つの係止体間にはスリットが形成され、図１ｃの２つの係合体間にもスリットが形成されている。図１ｃの２つの係合体間にはスリットが形成されず、図１ｂの２つの係止体間にもスリットが形成されなくてもよい。固定本体１には、チャネル１１が穿設され、両端に入光口１１１及び出光口１１２がそれぞれ形成されている。固定本体１は、柱体（例えば円柱体又は直方体）でもよい。固定部１２は、固定本体１の外側全体に設けてもよいし、固定本体１の外側一部に設けてもよい。例えば、固定本体１の上部、中部、下部又はこれらの組み合わせから選択される箇所に設けてもよい。ユーザが本発明の導光固定部材を実際に使用する際、その上端を掴んで本発明の導光固定部材の残部の固定オブジェクトを制御する。
【００１８】
図２ａ〜ｃを参照する。図２ａ〜ｃは、本発明の第２実施形態に係る導光固定部材を示す模式図（１）である。図２ａ〜ｃに示すように、本発明の第２実施形態に係る導光固定部材は、固定頭部２、固定本体１及びチャネル１１を含む。固定本体１は、固定頭部２に接続されて一体成形されるとともに固定部１２を有する。固定部１２は、固定本体１の外側に位置するねじ山（図２ａ参照）、係止体（図２ｂ参照）又は係合体（図２ｃ参照）でもよい。固定頭部２及び固定本体１には、連続したチャネル１１が穿設され、固定本体１には入光口１１１が、固定頭部２には出光口１１２が形成される。本発明の導光固定部材をユーザが楽に操作できるように、固定頭部２の断面積を固定本体１の断面積より大きくしてもよい。固定本体１は、柱体（例えば円柱体又は直方体）でもよい。固定部１２は、固定本体１の外側全体に設置してもよいし、固定本体１の外側一部に設置してもよい。例えば、固定本体１の上部、中部、下部又はこれらの組み合わせから選択された箇所に設置してもよい。ユーザが本発明の導光固定部材を実際に使用する際、固定頭部２を掴んで本発明の導光固定部材の残部の固定オブジェクトを制御する。
【００１９】
図３ａ〜ｃを参照する。図３ａ〜ｃは、本発明の第３実施形態に係る導光固定部材を示す模式図（１）である。図３ａ〜図３ｃに示すように、本発明の第３実施形態に係る導光固定部材は、固定頭部２、固定本体１、チャネル１１及びスリーブ５を含む。固定本体１は、固定頭部２に接続されて一体成形されるとともに固定部１２を有する。固定部１２は、固定本体１の外側に位置するねじ山（図３ａ参照）、係止体（図３ｂ参照）又は係合体（図３ｃ参照）でもよい。固定頭部２及び固定本体１には、連続したチャネル１１が穿設され、固定本体１には入光口１１１が、固定頭部２には出光口１１２が形成され、スリーブ５は、固定本体１に移動可能に接続される。本発明の導光固定部材をユーザが楽に操作できるように、固定頭部２の断面積を固定本体１の断面積より大きくしてもよい。固定本体１は、柱体（例えば円柱体又は直方体）でもよい。固定部１２は、固定本体１の外側全体に設置してもよいし、固定本体１の外側一部に設置してもよい。例えば、固定本体１の上部、中部、下部又はこれらの組み合わせから選択される箇所に設置してもよい。スリーブ５は、上縁が内方へ突出されるとともに、固定部１２上に直接移動可能に当接するか、ストップリング（図示せず）により固定部１２上に移動可能に当接してからスリーブ５の上縁を内方へ突出させて固定部１２上に間接的に移動可能に当接してもよい。ユーザは、本発明の導光固定部材を実際に使用する際、固定頭部２を掴んで本発明の導光固定部材の残部の固定オブジェクトを制御する。
【００２０】
上述したように、本発明の導光固定部材は、チャネル１１を介して光源（図示せず）からの光は、入光口１１１から出光口１１２へ案内されて放射される。また、本発明の導光固定部材は、光源の点滅に伴って点滅し、導光、発光、点滅及び装飾の機能を備える。また、本発明の導光固定部材を特定深度に固定させると、その入光口１１１は、接触されて光源がオンされると、本発明の導光固定部材は、出光口１１２の発光により固定深度を指示する効果を得ることができる。
【００２１】
図４ａ〜ｃを参照する。図４ａ〜ｃは、本発明の第１実施形態に係る導光固定部材を示す模式図（２）である。図４ａ〜ｃに示すように、上述した図１ａ〜ｃの導光固定部材は、キャップ４をさらに含む。固定本体１は、キャップ４に接続されて一体成形される。キャップ４には、チャネル１１が穿設される。出光口１１２は、キャップ４に位置する。キャップ４は、他のオブジェクトを接続、カバー又は保護するために用いられ、ユーザはキャップ４により固定本体１を制御することができる。
【００２２】
図５ａ〜ｃを参照する。図５ａ〜ｃは、本発明の第２実施形態に係る導光固定部材を示す模式図（２）である。図５ａ〜ｃに示すように、上述した図２ａ〜ｃの導光固定部材は、キャップ４をさらに含む。固定頭部２は、キャップ４に接続されて一体成形される。キャップ４には、チャネル１１が穿設される。キャップ４は、他のオブジェクトを接続、カバー又は保護するために用い、ユーザはキャップ４により固定本体１を制御することができる。
【００２３】
図６ａ〜ｃを参照する。図６ａ〜ｃは、本発明の第３実施形態に係る導光固定部材を示す模式図（２）である。図６ａ〜ｃに示すように、上述した図３ａ〜ｃの導光固定部材は、キャップ４をさらに含む。固定頭部２は、キャップ４に接続されて一体成形される。キャップ４には、チャネル１１が穿設される。スリーブ５は、固定本体１又はキャップ４に移動可能に接続される。キャップ４は、他のオブジェクトを接続、カバー又は保護するために用いられ、ユーザはキャップ４により固定本体１を制御することができる。
【００２４】
図７ａ〜ｃ、図８ａ〜ｃ及び図９ａ〜ｃを参照する。図７ａ〜ｃは、本発明の第１実施形態に係る導光固定部材を示す模式図（３）である。図８ａ〜ｃは、本発明の第１実施形態に係る導光固定部材を示す模式図（４）である。図９ａ〜ｃは、本発明の第１実施形態に係る導光固定部材を示す模式図（５）である。図７ａ〜ｃ、図８ａ〜ｃ及び図９ａ〜ｃに示すように、第１実施形態に係る導光固定部材は、導光体３をさらに含む。導光体３は、出光口１１２に設置されるか（図７ａ〜ｃ参照）、チャネル１１に設置されるか（図８ａ〜ｃ参照）、一部が出光口１１２から延出してチャネル１１に設置されるか（図９ｂ参照）、一部が入光口１１１から延出してチャネル１１に設置されるか（図９ｃ参照）、一部が出光口１１２と入光口１１１から延出してチャネル１１に設置されてよい（図９ａ参照）。この構成により導光体３は、チャネル１１を通った光を伝導及び屈折させて可視範囲を広げることができる。また、導光体３は、チャネル１１に設置するか、一部が出光口１１２から延出するようチャネル１１に設置するか、一部が入光口１１１から延出するようにチャネル１１に設置するか、一部が出光口１１２と入光口１１１から延出するようにチャネル１１に設置することにより、チャネル１１の外側に光源を設置しなくとも光源を得て可視範囲を広げることができる。
【００２５】
図１０ａ〜ｃ、図１１ａ〜ｃ及び図１２ａ〜ｃを参照する。図１０ａ〜ｃは、本発明の第２実施形態に係る導光固定部材を示す模式図（３）である。図１１ａ〜ｃは、本発明の第２実施形態に係る導光固定部材を示す模式図（４）である。図１２ａ〜ｃは、本発明の第２実施形態に係る導光固定部材を示す模式図（５）である。図１０ａ〜ｃ、図１１ａ〜ｃ及び図１２ａ〜ｃに示すように、上述した第２実施形態に係る導光固定部材は、導光体３をさらに含む。導光体３は、出光口１１２に設置されるか（図１０ａ〜ｃ参照）、チャネル１１に設置されるか（図１１ａ〜ｃ参照）、一部が出光口１１２から延出してチャネル１１に設置されるか（図１２ｂ参照）、一部が入光口１１１から延出してチャネル１１に設置されるか（図１２ｃ参照）、一部が出光口１１２と入光口１１１から延出してチャネル１１に設置されてよい（図１２ａ参照）。この構成により導光体３は、チャネル１１及び固定頭部２を通った光を伝導及び屈折させて可視範囲を広げることができる。また、導光体３は、チャネル１１に設置するか、一部が出光口１１２から延出するようチャネル１１に設置するか、一部が入光口１１１から延出するようにチャネル１１に設置するか、一部が出光口１１２と入光口１１１から延出するようにチャネル１１に設置すると、チャネル１１の外側に光源を設置しなくとも導光体３が光源を得て可視範囲を広げることができる。
【００２６】
図１３ａ〜ｃ、図１４ａ〜ｃ及び図１５ａ〜ｃを参照する。図１３ａ〜ｃは、本発明の第３実施形態に係る導光固定部材を示す模式図（３）である。図１４ａ〜ｃは、本発明の第３実施形態に係る導光固定部材を示す模式図（４）である。図１５ａ〜ｃは、本発明の第３実施形態に係る導光固定部材を示す模式図（５）である。図１３ａ〜ｃ、図１４ａ〜ｃ及び図１５ａ〜ｃに示すように、上述した第３実施形態に係る導光固定部材は、導光体３をさらに含む。導光体３は、出光口１１２に設置されるか（図１３ａ〜ｃ参照）、チャネル１１に設置されるか（図１４ａ〜ｃ参照）、一部が出光口１１２から延出してチャネル１１に設置されるか（図１５ｂ参照）、一部が入光口１１１から延出してチャネル１１に設置されるか（図１５ｃ参照）、一部が出光口１１２と入光口１１１から延出してチャネル１１に設置されてよい（その原理は図１２ａに示すのと同様である）。この構成により導光体３は、チャネル１１及び固定頭部２を通った光を伝導及び屈折させて可視範囲を広げることができる。また、導光体３は、チャネル１１に設置するか、一部が出光口１１２から延出するようチャネル１１に設置するか、一部が入光口１１１から延出するようにチャネル１１に設置するか、一部が出光口１１２と入光口１１１から延出するようにチャネル１１に設置し、チャネル１１の外側に光源を設置しなくとも導光体３が光源を得て可視範囲を広げることができる。
【００２７】
図１６ａ〜ｃ、図１７ａ〜ｃ及び図１８ａ〜ｃを参照する。図１６ａ〜ｃは、本発明の第１実施形態に係る導光固定部材を示す模式図（６）である。図１７ａ〜ｃは、本発明の第１実施形態に係る導光固定部材を示す模式図（７）である。図１８ａ〜ｃは、本発明の第１実施形態に係る導光固定部材を示す模式図（８）である。図１６ａ〜ｃ、図１７ａ〜ｃ及び図１８ａ〜ｃに示すように、上述した図４ａ〜図４ｃの導光固定部材は、導光体３をさらに含む。導光体３は、出光口１１２に設置されるか（図１６ａ〜ｃ参照）、チャネル１１に設置されるか（図１７ａ〜ｃ参照）、一部が出光口１１２から延出してチャネル１１に設置されるか（図１８ｂ参照）、一部が入光口１１１から延出してチャネル１１に設置されるか（図１８ｃ参照）、一部が出光口１１２と入光口１１１から延出してチャネル１１に設置されてよい（図１８ａ参照）。この構成により導光体３は、チャネル１１及びキャップ４を通った光を伝導及び屈折させて可視範囲を広げることができる。
【００２８】
図１９ａ〜ｃ、図２０ａ〜ｃ及び図２１ａ〜ｃを参照する。図１９ａ〜ｃは、本発明の第２実施形態に係る導光固定部材を示す模式図（６）である。図２０ａ〜ｃは、本発明の第２実施形態に係る導光固定部材を示す模式図（７）である。図２１ａ〜ｃは、本発明の第２実施形態に係る導光固定部材を示す模式図（８）である。図１９ａ〜ｃ、図２０ａ〜ｃ及び図２１ａ〜ｃに示すように、上述した図５ａ〜ｃの導光固定部材は、導光体３をさらに含む。導光体３は、出光口１１２に設置されるか（図１９ａ〜ｃ参照）、チャネル１１に設置されるか（図２０ａ〜ｃ参照）、一部が出光口１１２から延出してチャネル１１に設置されるか（図２１ｂ参照）、一部が入光口１１１から延出してチャネル１１に設置されるか（図２１ｃ参照）、一部が出光口１１２と入光口１１１から延出してチャネル１１に設置されてよい（図２１ａ参照）。この構成により導光体３は、チャネル１１及び固定頭部２を通った光を伝導及び屈折させて可視範囲を広げることができる。
【００２９】
図２２ａ〜ｃ、図２３ａ〜ｃ及び図２４ａ〜ｃを参照する。図２２ａ〜ｃは、本発明の第３実施形態に係る導光固定部材を示す模式図（６）である。図２３ａ〜ｃは、本発明の第３実施形態に係る導光固定部材を示す模式図（７）である。図２４ａ〜ｃは、本発明の第３実施形態に係る導光固定部材を示す模式図（８）である。図２２ａ〜ｃ、図２３ａ〜ｃ及び図２４ａ〜ｃに示すように、上述した図６ａ〜ｃの導光固定部材は、導光体３をさらに含む。導光体３は、出光口１１２に設置されるか（図２２ａ〜ｃ参照）、チャネル１１に設置されるか（図２３ａ〜ｃ参照）、一部が出光口１１２から延出してチャネル１１に設置されるか（図２４ｂ参照）、一部が入光口１１１から延出してチャネル１１に設置されるか（図２４ｃ参照）、一部が出光口１１２と入光口１１１から延出してチャネル１１に設置されてよい（図２４ａ参照）。この構成により導光体３は、チャネル１１及び固定頭部２を通った光を伝導及び屈折させて可視範囲を広げることができる。
【００３０】
図２５ａ〜ｃを参照する。図２５ａ〜ｃは、本発明の第１実施形態に係る導光固定部材を示す模式図（９）である。図２５ａ〜ｃに示すように、上述した図４ａ〜ｃの導光固定部材は、スリーブ５をさらに含む。スリーブ５は、固定本体１又はキャップ４に移動可能に接続される。スリーブ５がキャップ４に移動可能に接続されると、キャップ４の下縁が内方へ突出され、スリーブ５の上縁が外方へ突出された後、スリーブ５の上縁がキャップ４の下縁へ移動可能に当接される。スリーブ５は、本発明の導光固定部材により、スリーブ５の組合構造をオブジェクトへ設置した後、固定本体１を介してもう一つのオブジェクトに固定することができる。
【００３１】
図２６ａ〜ｃ、図２７ａ〜ｃ及び図２８ａ〜ｃを参照する。図２６ａ〜ｃは、本発明の第１実施形態に係る導光固定部材を示す模式図（１０）である。図２７ａ〜ｃは、本発明の第１実施形態に係る導光固定部材を示す模式図（１１）である。図２８ａ〜ｃは、本発明の第１実施形態に係る導光固定部材を示す模式図（１２）である。図２６ａ〜ｃ、図２７ａ〜ｃ及び図２８ａ〜ｃに示すように、上述した図１６ａ〜ｃ、図１７ａ〜ｃ及び図１８ａ〜ｃの導光固定部材は、スリーブ５をさらに含む。スリーブ５は、固定本体１又はキャップ４に移動可能に接続される。スリーブ５がキャップ４に移動可能に接続されると、キャップ４の下縁が内方へ突出されてスリーブ５の上縁が外方へ突出され、スリーブ５の上縁がキャップ４の下縁に移動可能に当接される。スリーブ５は、本発明の導光固定部材により、まず、スリーブ５の組合構造をオブジェクトへ設置してから、固定本体１を介してもう一つのオブジェクトへ固定させる。
【００３２】
図２９ａ〜ｃを参照する。図２９ａ〜ｃは、本発明の第３実施形態に係る導光固定部材を示す模式図（９）である。図２９ａ〜ｃに示すように、上述した図３ａ〜ｃの導光固定部材は、弾性部材７をさらに含む。弾性部材７は、一端が固定頭部２に当接され、他端がスリーブ５に当接されている。弾性部材７は、本発明の導光固定部材が使用されていないときに固定本体１を弾性回復力により上方へ変位させるために用いる。
【００３３】
図３０ａ〜ｃを参照する。図３０ａ〜ｃは、本発明の第３実施形態に係る導光固定部材を示す模式図（１０）である。図３０ａ〜ｃに示すように、上述した図６ａ〜ｃの導光固定部材は、弾性部材７をさらに含む。弾性部材７は、一端が固定頭部２又はキャップ４に当接され、他端がスリーブ５に当接されている。弾性部材７は、本発明の導光固定部材が使用されていないときに固定本体１を弾性回復力により上方へ変位させるために用いる。
【００３４】
図３１ａ〜ｃを参照する。図３１ａ〜ｃは、本発明の第３実施形態に係る導光固定部材を示す模式図（１１）である。図３１ａ〜ｃに示すように、上述した図１３ａ〜ｃの導光固定部材は、弾性部材７をさらに含む。弾性部材７は、一端が固定頭部２に当接され、他端がスリーブ５に当接されている。弾性部材７は、本発明の導光固定部材が使用されていないときに固定本体１を弾性回復力により上方へ変位させるために用いる。
【００３５】
図３２ａ〜ｃを参照する。図３２ａ〜ｃは、本発明の第３実施形態に係る導光固定部材を示す模式図（１２）である。図３２ａ〜ｃに示すように、上述した図２２ａ〜ｃの導光固定部材は、弾性部材７をさらに含む。弾性部材７は、一端が固定頭部２又はキャップ４に当接され、他端がスリーブ５に当接されている。弾性部材７は、本発明の導光固定部材が使用されていないときに固定本体１を弾性回復力により上方へ変位させるために用いる。
【００３６】
図３３ａ〜ｃを参照する。図３３ａ〜ｃは、本発明の第１実施形態に係る導光固定部材を示す模式図（１３）である。図３３ａ〜ｃに示すように、上述した図２５ａ〜ｃの導光固定部材は、弾性部材７をさらに含む。弾性部材７は、一端がキャップ４に当接され、他端がスリーブ５に当接されている。弾性部材７は、本発明の導光固定部材が使用されていないときに固定本体１を弾性回復力により上方へ変位させるために用いる。
【００３７】
図３４ａ〜ｃを参照する。図３４ａ〜ｃは、本発明の第１実施形態に係る導光固定部材を示す模式図（１４）である。図３４ａ〜ｃに示すように、上述した図２６ａ〜ｃの導光固定部材は、弾性部材７をさらに含む。弾性部材７は、一端がキャップ４に当接され、他端がスリーブ５に当接されている。弾性部材７は、本発明の導光固定部材が使用されていないときに固定本体１を弾性回復力により上方へ変位させるために用いる。
【００３８】
図７ａ〜ｃ、図１０ａ〜ｃ及び図１３ａ〜ｃを参照する。図７ａ〜ｃ、図１０ａ〜ｃ及び図１３ａ〜ｃに示すように、上述した導光固定部材の導光体３の表面は、水平面３１、垂直面３２、斜面３３、弧面３４又はこれらの組み合わせから選択され、導光体３が屈折させた光を上述した表面により特定領域へ向ける。
【００３９】
図２６ａ〜ｃを参照する。図２６ａ〜ｃに示すように、上述した導光固定部材の導光体３は、リング状構造（図２６ａ参照）、凸状構造（図２６ｂ及び図２６ｃ参照）、凹状構造（図２６ｂ及び図２６ｃ参照）又はこれらの組み合わせから選択され、上述の構造により光線を導光体３内で複数回反射させて輝度を高めてもよい。
【００４０】
再び図７ａ〜ｃ乃至図２４ａ〜ｃを参照する。図７ａ〜ｃ乃至図２４ａ〜ｃに示すように、上述した導光固定部材の導光体３は、凸部３５、凹部３６、係合部３７、ねじ部３８又は接着部３９を介して固定本体１、固定頭部２又はキャップ４上に設置される。
【００４１】
上述した導光固定部材の導光体３は、埋入射出、圧入、係着、係合、熱融着、螺着又は接着により出光口１１２に設置するか、チャネル１１に設置するか、一部が出光口１１２から延出してチャネル１１に設置されるか、一部が入光口１１１から延出してチャネル１１に設置されるか、一部が出光口１１２と入光口１１１から延出してチャネル１１に設置されてもよい。ここで接着とは、導光体３上、出光口１１２の近傍又はチャネル１１内に接着剤を塗布して行う。
【００４２】
上述した導光固定部材の固定本体１は、強度を高めるために金属からなってもよい。また、上述した導光固定部材の導光体３は、光ファイバ、繊維、プラスチック、ガラス、石英、アクリル、ゴム又はシリコーンからなってもよい。
【００４３】
図３５〜図３７を参照する。図３５は、本発明の一実施形態に係る導光固定部材の応用例を示す模式図（１）である。図３６は、本発明の一実施形態に係る導光固定部材の応用例を示す模式図（２）である。図３７は、本発明の一実施形態に係る導光固定部材の応用例を示す模式図（３）である。図３５〜図３７に示すように、上述した導光固定部材を２つのオブジェクト９，９に固定させた後、光源８からの光が本発明の導光固定部材の下端から上端まで案内されて放射される。光源８は、ＬＥＤ、電球又は蛍光灯でもよい。図３５〜図３７の右から１つ目及び２つ目に示すように、光源８は、本発明の導光固定部材の下端が接触されると発光する。
【００４４】
図３８ａ〜ｃ、図３９ａ〜ｃ、図４０ａ〜ｃ及び図４１を参照する。図３８ａ〜ｃは、本発明の一実施形態に係る導光固定部材の第１の制御部及び第２の制御部を示す模式図（１）である。図３９ａ〜ｃは、本発明の一実施形態に係る導光固定部材の第３の制御部を示す模式図である。図４０ａ〜ｃは、本発明の一実施形態に係る導光固定部材の第１の制御部及び第２の制御部を示す模式図（２）である。図４１は、本発明の一実施形態に係る導光固定部材の第１〜第３の制御部を示す模式図である。図３８ａ〜ｃ、図３９ａ〜ｃ、図４０ａ〜ｃ及び図４１に示すように、上述した図１ａ、図２ａ及び図３ａの導光固定部材の固定本体１の上端には、第１の制御部１３が設けられている。導光固定部材の固定頭部２の上端には、第２の制御部２１が設けられている（図３８ａ〜ｃ参照）。また、上述した図７ａ、図１０ａ及び図１３ａの導光固定部材の導光体３の上端には、第３の制御部３０が設けられている（図３９ａ〜ｃ参照）。また、上述した図８ａ、図１１ａ及び図１４ａの導光固定部材の固定本体１の上端には、第１の制御部１３が形成され、導光固定部材の固定頭部２の上端には、第２の制御部２１が形成されている（図４０ａ〜ｃ参照）。図４１を参照する。図４１は、本発明の導光固定部材を上から見たところを示す。図４１に示すように、第１の制御部１３、第２の制御部２１及び第３の制御部３０は、凹溝である上、一文字状、十字状、六角形、梅花形などの形状を有し、ユーザは対応した形状を有する工具を使用して本発明の導光固定部材を調整することができる。
【００４５】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４６】
１  固定本体、２  固定頭部、３  導光体、４  キャップ、５  スリーブ、７  弾性部材、８  光源、９  オブジェクト、１１  チャネル、１２  固定部、１３  第１の制御部、２１  第２の制御部、３０  第３の制御部、３１  水平面、３２  垂直面、３３  斜面、３４  弧面、３５  凸部、３６  凹部、３７  係合部、３８  ねじ部、３９  接着部、１１１  入光口、１１２  出光口。
【図１ａ】
2015099214.tif 000003
【図１ｂ】
2015099214.tif 000004
【図１ｃ】
2015099214.tif 000005
【図２ａ】
2015099214.tif 000006
【図２ｂ】
2015099214.tif 000007
【図２ｃ】
2015099214.tif 000008
【図３ａ】
2015099214.tif 000009
【図３ｂ】
2015099214.tif 000010
【図３ｃ】
2015099214.tif 000011
【図４ａ】
2015099214.tif 000012
【図４ｂ】
2015099214.tif 000013
【図４ｃ】
2015099214.tif 000014
【図５ａ】
2015099214.tif 000015
【図５ｂ】
2015099214.tif 000016
【図５ｃ】
2015099214.tif 000017
【図６ａ】
2015099214.tif 000018
【図６ｂ】
2015099214.tif 000019
【図６ｃ】
2015099214.tif 000020
【図７ａ】
2015099214.tif 000021
【図７ｂ】
2015099214.tif 000022
【図７ｃ】
2015099214.tif 000023
【図８ａ】
2015099214.tif 000024
【図８ｂ】
2015099214.tif 000025
【図８ｃ】
2015099214.tif 000026
【図９ａ】
2015099214.tif 000027
【図９ｂ】
2015099214.tif 000028
【図９ｃ】
2015099214.tif 000029
【図１０ａ】
2015099214.tif 000030
【図１０ｂ】
2015099214.tif 000031
【図１０ｃ】
2015099214.tif 000032
【図１１ａ】
2015099214.tif 000033
【図１１ｂ】
2015099214.tif 000034
【図１１ｃ】
2015099214.tif 000035
【図１２ａ】
2015099214.tif 000036
【図１２ｂ】
2015099214.tif 000037
【図１２ｃ】
2015099214.tif 000038
【図１３ａ】
2015099214.tif 000039
【図１３ｂ】
2015099214.tif 000040
【図１３ｃ】
2015099214.tif 000041
【図１４ａ】
2015099214.tif 000042
【図１４ｂ】
2015099214.tif 000043
【図１４ｃ】
2015099214.tif 000044
【図１５ａ】
2015099214.tif 000045
【図１５ｂ】
2015099214.tif 000046
【図１５ｃ】
2015099214.tif 000047
【図１６ａ】
2015099214.tif 000048
【図１６ｂ】
2015099214.tif 000049
【図１６ｃ】
2015099214.tif 000050
【図１７ａ】
2015099214.tif 000051
【図１７ｂ】
2015099214.tif 000052
【図１７ｃ】
2015099214.tif 000053
【図１８ａ】
2015099214.tif 000054
【図１８ｂ】
2015099214.tif 000055
【図１８ｃ】
2015099214.tif 000056
【図１９ａ】
2015099214.tif 000057
【図１９ｂ】
2015099214.tif 000058
【図１９ｃ】
2015099214.tif 000059
【図２０ａ】
2015099214.tif 000060
【図２０ｂ】
2015099214.tif 000061
【図２０ｃ】
2015099214.tif 000062
【図２１ａ】
2015099214.tif 000063
【図２１ｂ】
2015099214.tif 000064
【図２１ｃ】
2015099214.tif 000065
【図２２ａ】
2015099214.tif 000066
【図２２ｂ】
2015099214.tif 000067
【図２２ｃ】
2015099214.tif 000068
【図２３ａ】
2015099214.tif 000069
【図２３ｂ】
2015099214.tif 000070
【図２３ｃ】
2015099214.tif 000071
【図２４ａ】
2015099214.tif 000072
【図２４ｂ】
2015099214.tif 000073
【図２４ｃ】
2015099214.tif 000074
【図２５ａ】
2015099214.tif 000075
【図２５ｂ】
2015099214.tif 000076
【図２５ｃ】
2015099214.tif 000077
【図２６ａ】
2015099214.tif 000078
【図２６ｂ】
2015099214.tif 000079
【図２６ｃ】
2015099214.tif 000080
【図２７ａ】
2015099214.tif 000081
【図２７ｂ】
2015099214.tif 000082
【図２７ｃ】
2015099214.tif 000083
【図２８ａ】
2015099214.tif 000084
【図２８ｂ】
2015099214.tif 000085
【図２８ｃ】
2015099214.tif 000086
【図２９ａ】
2015099214.tif 000087
【図２９ｂ】
2015099214.tif 000088
【図２９ｃ】
2015099214.tif 000089
【図３０ａ】
2015099214.tif 000090
【図３０ｂ】
2015099214.tif 000091
【図３０ｃ】
2015099214.tif 000092
【図３１ａ】
2015099214.tif 000093
【図３１ｂ】
2015099214.tif 000094
【図３１ｃ】
2015099214.tif 000095
【図３２ａ】
2015099214.tif 000096
【図３２ｂ】
2015099214.tif 000097
【図３２ｃ】
2015099214.tif 000098
【図３３ａ】
2015099214.tif 000099
【図３３ｂ】
2015099214.tif 000100
【図３３ｃ】
2015099214.tif 000101
【図３４ａ】
2015099214.tif 000102
【図３４ｂ】
2015099214.tif 000103
【図３４ｃ】
2015099214.tif 000104
【図３５】
2015099214.tif 000105
【図３６】
2015099214.tif 000106
【図３７】
2015099214.tif 000107
【図３８ａ】
2015099214.tif 000108
【図３８ｂ】
2015099214.tif 000109
【図３８ｃ】
2015099214.tif 000110
【図３９ａ】
2015099214.tif 000111
【図３９ｂ】
2015099214.tif 000112
【図３９ｃ】
2015099214.tif 000113
【図４０ａ】
2015099214.tif 000114
【図４０ｂ】
2015099214.tif 000115
【図４０ｃ】
2015099214.tif 000116
【図４１】
2015099214.tif 000117